(57)【特許請求の範囲】
【請求項１】
上下２連の階段が設置される建物の階段吹き抜け構造であって、前記建物の１階の床は全面に床材が張られた全面床とされ、この全面床の少なくとも一部上方に吹き抜け領域の階段室が形成され、前記下側階段のスタート位置は前記階段室内に前記吹き抜け領域から内側に所定寸法離れて設置され、前記上側階段は前記建物の２階において前記下側階段と上下方向に同位置上に設置され、この上側階段のスタート位置と前記吹き抜け領域周囲との間を、前記階段の幅方向両側に配置される側面材と、これらの側面材同士を結合する根太材と、この根太材の上面に張られる階段受け部材とを備え、前記側面材で前記階段の幅方向両側を建物の２階の下縁に沿った下梁および下梁間に架けわたされた中間梁に支持される補助床部材で埋めることを特徴とする建物の階段吹き抜け構造。
【請求項２】
請求項１に記載の建物の階段吹き抜け構造において、前記建物は、予め工場で生産された複数の箱形の上下階建物ユニットを現場で組み合わせて建てられるユニット式建物であり、前記建物ユニットは下縁に沿った下梁を有するとともに、前記吹き抜け領域は前記各建物ユニットの前記下梁に沿って形成され、前記補助床部材は前記上階建物ユニットの下梁および下梁間に架けわたされた中間梁に支持されることを特徴とする建物の階段吹き抜け構造。
【請求項３】
請求項１または２に記載の建物の階段吹き抜け構造において、前記吹き抜け領域は直交する前記下梁および前記中間梁で構成されるコーナ部を有し、前記補助床部材は前記コーナ部に３方を接続されていることを特徴とする建物の階段吹き抜け構造。
【請求項４】
建物内の上下階にわたって形成された吹き抜け領域の階段室に、上下２連の階段がそれぞれのスタート位置を前記階段室の吹き抜け領域周囲から所定寸法離れて設置される建物の階段吹き抜け構造の、前記上側階段のスタート位置と前記吹き抜け領域周囲との間を埋める建物の補助床部材であって、前記階段の幅方向両側に配置される側面材と、これらの側面材同士を結合する根太材と、この根太材の上面に張られる階段受け部材とを備え、前記側面材で前記階段の幅方向両側を建物の２階の下縁に沿った下梁および下梁間に架けわたされた中間梁に支持されることを特徴とする建物の補助床部材。
【請求項５】
請求項４に記載の建物の補助床部材において、前記根太材は複数あり、そのうちの１つは階段受け部材の長手方向の辺縁に沿って配置されるとともに、この根太材を介して前記下梁に支持されることを特徴とする建物の補助床部材。
【発明の詳細な説明】
【０００１】
【発明の属する技術分野】
本発明は、建物内に上下２連の階段が設けられる建物の階段吹き抜け構造および建物の補助床部材に関する。
【０００２】
【背景技術】
例えば箱形の複数の建物ユニットを組み合わせて建てる２階建て、３階建てのユニット式建物に設けられる階段は、建物内の階段室に設けられる。特に、３階建ての住宅の場合、１階〜２階用の階段の直上に２階〜３階用の階段が設置されることが多い。すなわち、階段室が建物の上下方向に同一位置に設けられ、つまり吹き抜け構造とされている。そして、これらの各階段の構造はほぼ同じとなっていることが多い。
【０００３】
【発明が解決しようとする課題】
ところで、１階の床には通常は全面に床材が張られている。また、１階〜２階用の階段のスタート位置は、階段の踏み出し用として吹き抜け領域から内側に所定寸法離れた位置となっている。従って、１階では踏み出し部に床材が張られていることになる。
しかし、２階〜３階用の階段で上記と同じような構造にしようとすると、２階に踏み出し用の床を設けなくてはならず、その場合、１階の天井も設けることとなる。従って、踏み出し用の床分の寸法で吹き抜け領域から内側に天井部が張り出していることになり、１階において１階〜２階用の階段のスタート位置の天井高さが低くなるという問題と、２階の床および１階の天井の吹き抜け領域周囲からの張り出しの分だけ、吹き抜け領域が狭められるという問題とがある。
【０００４】
本発明の目的は、階段室の吹き抜け領域を狭めることなく、１〜２階用の階段のスタート位置の天井高さを高くできる建物の階段吹き抜け構造および建物の補助床部材を提供することにある。
【０００５】
【課題を解決するための手段】
本発明の第１発明の建物の階段吹き抜け構造は、図面を参照して説明すると、図１、３に示すように、上下２連の階段１５、１６が設置される建物の階段吹き抜け構造であって、建物１の１階２Ａの床は全面に床材１０が張られた全面床とされ、この全面床の少なくとも一部上方に吹き抜け領域の階段室１２が形成され、下側階段１５のスタート位置Ｓは階段室１２内に吹き抜け領域から内側に所定寸法離れて設置され、上側階段１６は２階３Ａにおいて下側階段１５と上下方向に同位置上に設置され、この上側階段１６のスタート位置Ｓ’と吹き抜け領域周囲との間を、上側階段１６の幅方向両側に配置される側面材２１と、これらの側面材２１同士を結合する根太材２２Ａ，２２Ｂと、これらの根太材２２Ａ，２２Ｂの上面に張られる階段受け部材２５とを備え、側面材２１で上側階段１６の幅方向両側をユニット式建物１の２階の下縁に沿った下梁８および下梁８間に架けわたされた中間梁８’に支持される補助床部材２０で埋めることを特徴とするものである。
【０００６】
以上において、階段吹き抜け構造が適用される建物は、複数の建物ユニットを組み合わせて建てるユニット式建物に限らず、いわゆるパネル工法による建物等であってもよい。また、上下２連の階段は、直線状の階段あるいは回り階段を問わないが、構造的には同一であることが好ましい。また、吹き抜け領域の形状は階段の形状に応じたものであればどのような形状でもよい。さらに、上下の階段のそれぞれのスタート位置と吹き抜け領域周囲との間隔はほぼ同じ寸法であることが好ましく、この部位が階段の踏み出し部となる。また、補助床部材は、根太材等と踏み出し部となる板部材とを一体化したような形状のものでもよい。そして、このような補助床部材の長さ寸法は、各階段の幅寸法とほぼ等しいことが好ましく、補助床部材の幅寸法は、階段の踏み板の幅寸法程度であることが好ましい。
【０００７】
このような本発明では、上側階段のスタート位置と吹き抜け領域周囲との間を補助床部材で埋めたので、階段室の吹き抜け領域に補助床部材のみが張り出していることになり、これにより、階段室の吹き抜け領域を狭めることなく、かつ、１〜２階用の階段のスタート位置の天井高さを高くできる。
【０００８】
本発明の第２発明の建物の階段吹き抜け構造は、図１に示すように、第１発明の建物を、予め工場で生産された複数の箱形建物ユニット２〜４を現場で組み合わせて建てられるユニット式建物１とし、建物ユニット２〜４は下縁に沿った下梁８を有するとともに、吹き抜け領域は各建物ユニット２〜４の下梁８に沿って形成され、補助床部材２０は上階建物ユニット２Ａの下梁８および下梁８間に架けわたされた中間梁８’に支持されることを特徴とするものである。
【０００９】
このような本発明では、補助床部材が上階建物ユニットの下梁および中間梁に支持されるので、安定した構造となり、かつ、下階建物ユニットに配置される１階用階段のスタート位置の天井高さを高くできる。
【００１０】
本発明の第３発明の建物の階段吹き抜け構造は、図２に示すように、第１、２発明の吹き抜け領域を直交する下梁８および中間梁８’で構成されるコーナ部を有するものとし、補助床部材２０は、コーナ部１２Ａに３方を接続されていることを特徴とするものである。
このような本発明では、補助床部材がコーナ部に３方を接続されているので、補助床部材が充分な強度を有するものとなる。
【００１１】
本発明の第４発明の建物の補助床部材は、図面を参照して説明すると、図１、３に示すように、建物１内の上下階にわたって形成された吹き抜け領域の階段室１２に、上下２連の階段１５、１６がそれぞれのスタート位置Ｓ、Ｓ’を階段室１２の吹き抜け領域周囲から所定寸法離れて設置される建物の階段吹き抜け構造の、上側階段１６のスタート位置Ｓ’と吹き抜け領域周囲との間を埋める建物の補助床部材２０であって、階段１６の幅方向両側に配置される側面材２１と、これらの側面材２１同士を結合する根太材２２Ａ、２２Ｂと、これらの根太材２２Ａ、２２Ｂの上面に張られる階段受け部材２５とを備え、側面材２１で上側階段１６の幅方向両側をユニット式建物１の２階の下縁に沿った下梁８および下梁８間に架けわたされた中間梁８’に支持されることを特徴とするものである。
【００１２】
以上において、側面材の幅寸法および階段受け部材の幅寸法は、各階段の踏み板の幅寸法と同じ程度であることが好ましく、階段受け部材および根太材の長さ寸法は、各階段幅寸法と同じ程度であることが好ましい。
このような本発明では、上側階段のスタート位置と吹き抜け領域周囲との間を補助床部材で埋めたので、階段室の吹き抜け領域に補助床部材のみが張り出していることになり、これにより、階段室の吹き抜け領域を狭めることなく、かつ、１階用の階段のスタート位置の天井高さを高くでき、また、補助床部材が側面材、根太材等で組まれて一体化されているので、強度が大きくなり、また、側面材で両側を下梁および中間梁に支持されるので確実な取り付けとなる。
【００１３】
本発明の第５発明の建物の補助床部材は、図３に示すように、第４発明の根太材を複数あるものとし、そのうちの１つ２２Ａを階段受け部材２５の長手方向の辺縁に沿って配置するとともに、この根太材２２Ａを介して下梁８に支持させることを特徴とするものである。
このような本発明では、上面に階段受け部材を取り付けた根太材を梁等に支持させればよく、根太材側から釘打ち等の作業が容易となり、作業効率が向上する。
【００１４】
【発明の実施の形態】
以下に、本発明の一実施形態を図面に基づいて説明する。
図１に示すように、本実施形態の建物の階段吹き抜け構造が適用される建物は、予め工場で生産される複数の１階建物ユニット２、２階建物ユニット３、３階建物ユニット４および図示しない屋根パネル等からなる屋根等を、現場で組み合わせることにより建てられるユニット式建物１である。
【００１５】
各建物ユニット２〜４は、図４に示すように、四隅に立設される４本の柱６と、これらの柱６の上端間同士および下端間同士を結合する各４本の上梁７、下梁８を有する骨組み９を備え、このような骨組み９に、天井面材や床面材１０、内壁や外壁等を取り付け、ほぼ箱形状に形成されている。
【００１６】
ユニット式建物１において上下に重なる建物ユニット２Ａと３Ａ、３Ａと４Ａとの所定位置には、図２、３に示すように、間仕切り壁１１により、１階〜３階にわたりかつ一角部が切り欠かれた平面ほぼ四角形状の吹き抜け領域となった階段室１２が設けられ、この階段室１２の１階ユニット２Ａ部には、下側階段である１階〜２階用の第１階段１５が、２階ユニット３Ａ部には、上側階段部である２階〜３階用の第２階段１６がそれぞれ設置されている。なお、階段室１２の一角部の隣接部は、コーナ部１２Ａとなっている。
また、第１階段１５と第２階段１６とはほぼ同一構造の回り階段とされており、上下方向に同じ位置に配置されている。
【００１７】
第１階段１５は、１階建物ユニット２Ａの床面１０上に階段室１２の１側面から所定寸法内側に離れた位置にスタート位置Ｓを配して設置されている。この離れた所定寸法の部位が階段の踏み出し部Ａとなっている。
第２階段１６も前述のように第１階段１５とほぼ上下方向の同一位置に設けられているが、この第２階段１６のスタート位置Ｓ’と階段室１２の１側面間の上記踏み出し部Ａに相当する隙間には補助床部材２０が設けられ、その隙間が埋められるとともに、この補助床部材２０が２階の踏み出し部Ａ’となっている。
【００１８】
補助床部材２０は、階段１６の幅方向両側に設けられる側面材２１を備え、これらの側面材２１は、階段の段板１７の幅寸法とほぼ同じ寸法の長さに形成されている。そして、断面溝型状のピース２３に例えばエアピン等で取り付けられるようになっており、このピース２３は建物ユニット３Ａの下梁８間に架けわたされた中間梁８’に溶接等で固着されるようになっている。
【００１９】
また、このような側面材２１間には２本の根太材２２Ａ、２２Ｂが架けわたされている。これらの根太材２２Ａ、２２Ｂは高さ寸法が異なっており、高い方の根太材２２Ａが建物ユニット３Ａの下梁８側に配置され、短い方の根太材２２Ｂが階段１６の登り方向先方に配置されている。そして、これらの根太材２２Ａ、２２Ｂは水平方向に所定間隔をおいて配置されている。
なお、高い方の根太材２２Ａの高さ寸法は、下梁８の高さ寸法とほぼ同じとなっている。
【００２０】
根太材２２Ａ、２２Ｂの上面には階段受け部材２５が張られている。この階段受け部材２５は階段幅、つまり上記２枚の側面材２１にわたる長さ寸法と、根太材２２Ａ、２２Ｂ間にわたる幅寸法、つまり段位他１７の長さ寸法とを有する板部材で形成されており、この階段受け部材２５の部位が第２階段１６用の踏みだし部Ａ’を形成していることになる。
なお、階段受け部材２５は２階ユニット３Ａの床面材１０’と連続するようになっている。
【００２１】
一方、建物ユニット３Ａの下梁８には、断面溝型状かつ根太材２２Ａと同一長さ寸法のブラケット２６が溶接等で結合されており、このブラケット２６には根太材２２Ａと同一平面大きさとなった取り付け板２７が例えばエアピン等で固着されている。
そして、このようなブラケット２６、取り付け板２７に、２枚の側面材２１と一体化した根太材２２Ａ、２２Ｂのうち高さの高い根太材２２Ａを取り付け板２７に押し当て、例えばエアピン等を打ち付けて取り付けるようになっている。
【００２２】
ここにおいて、前記側面材２１、根太材２２Ａ、２２Ｂ、階段受け部材２５、ピース２３、取り付け板２７およびブラケット２６を含んで前記補助床部材２０が構成されている。
そして、このような補助床部材２０に、段板１７とともに第２階段１６のスタート部Ｓ’を構成する蹴込み板１８が接続されて第２階段１６が設けられる。
また、図１に示すように、第２階段１６の下端面の例えば石膏ボード等の面材３０は、根太材２２Ｂの前方（階段１６の登り方向先方側）から下梁８側にまで延びて設けられている。
【００２３】
次に、本実施形態の作用を説明する。
階段室１２を有する２階建物ユニット３Ａの所定の下梁８にブラケット２６を固着し、さらに、このブラケット２６に取り付け板２７を取り付ける。
また、側面材２１、根太材２２Ａ、２２Ｂ、階段受け部材２５およびピース２３を予め一体化しておく。
【００２４】
次に、ブラケット２６、取り付け板２７に、一体化された階段受け部材２５等の根太材２２Ａを押し当てるとともに、側面材２１に取り付けたピース２３を中間梁８’に差し込んで左右の位置合わせを行った後、根太材２２Ａの表面から例えばエアピン等を打ち込んで一体化された階段受け部材２５等を下梁８に取り付ける。そして、位置決めされたピース２３を中間梁８’に溶接等で固着して、補助床部材２０の２階建物ユニット３Ａへの取り付けを完了する。
引き続き、このような補助床部材２０にスタート位置Ｓ’を接続させて第２階段１６を２階建物ユニット３Ａに取り付ける。
【００２５】
１階建物ユニット２Ａには第１階段１５が予め取り付けられており、このような各建物ユニット２〜４を現場に搬入するとともに、手順に従って組み合わせ、ユニット式建物１を建てる。
【００２６】
このような本実施形態によれば、次のような効果がある。
（１）２階〜３階用の第２階段１６は、１階〜２階用の第１階段１５と上下方向に同一位置に配置されており、スタート位置Ｓ’が階段室１２の吹き抜け領域から離れているが、この隙間に補助床部材２０が設けられているので、１階建物ユニットの天井部を設ける必要がなくなり、これにより、天井部の階段室内側への出っ張りがなくなり、階段室１２の吹き抜け領域を狭めることなく、１階における第１階段１５のスタート位置Ｓの天井高さを高くできる。
（２）補助床部材２０は、コーナ部１２Ａにおいて、根太材２２Ａで建物ユニット３Ａの下梁８に固定され、かつ、側面材２１でピース２３に中間梁８’に固定されており、３方を固定されていることになるので、確実に支持されかつ充分な強度を有するものとなる。
（３）階段受け部材２５等の取り付けは、２階建物ユニット３Ａの下梁８に固着されたブラケット２６、取り付け板２７に、取り付け板２７を押し当て、側面材２１に取り付けたピース２３を中間梁８’に差し込んで左右の位置合わせを行った後、根太材２２Ａの表面からエアピン等を打ち込んで取り付ければよく、取り付け作業が容易であるとともに、位置調整が容易である。
（４）根太材２２Ｂの前側および下端部は、第２階段１６の下端を覆う石膏ボード３０で覆われているので、むき出しにならず、見映えが悪くなることがない。
【００２７】
なお、本発明は、前記実施形態に限定されるものではなく、本発明の目的を達成できるものであれば、次に示すような変形形態でもよいものである。
すなわち、前記実施形態では、ブラケット２６を根太材２２Ａの長さ寸法とほぼ同じとしたが、これに限らず、ピース２３と同様の形状のものを複数個所定間隔で配置してもよい。また、これとは逆にピース２３を側面材２１と同じ長さ寸法の連続物としてもよい。そして、このような実施形態でも前記第１実施形態の▲１▼〜▲４▼の効果と同様の効果を得ることができる。
【００２８】
また、前記実施形態では、根太材２２Ａ、２２Ｂを異なる高さ寸法としたが、これに限らず、両者２２Ａ、２２Ｂを同一高さとしてもよい。そして、このような実施形態でも前記第１実施形態の▲１▼〜▲４▼の効果と同様の効果を得ることができる。
【００２９】
【発明の効果】
以上に説明したように、本発明の建物の階段吹き抜け構造によれば、上側階段のスタート位置と吹き抜け領域周囲との間を補助床部材で埋めたので、階段室の吹き抜け領域に補助床部材のみが張り出していることになり、これにより、階段室の吹き抜け領域を狭めることなく、１階用の階段のスタート位置の天井高さを高くできる。
【００３０】
また、本発明の建物の補助床部材によれば、上側階段のスタート位置と吹き抜け領域周囲との間を補助床部材で埋めたので、階段室の吹き抜け領域に補助床部材のみが張り出していることになり、階段室の吹き抜け領域を狭めることなく、１階用の階段のスタート位置の天井高さを高くできる。また、補助床部材が側面材、根太材等で組まれて一体化されているので、強度が大きくなり、さらに、側面材で両側を建物の下梁および中間梁に支持されるので確実な取り付けとなる。
【図面の簡単な説明】
【図１】本発明の一実施形態に係るユニット式建物を示す全体側面図である。
【図２】本実施形態の階段室を有する２階建物ユニットを示す全体平面図である。
【図３】本実施形態の建物の補助床部材を示す全体斜視図である。
【図４】本発明のユニット式建物を構成する建物ユニットの骨組みを示す全体斜視図である。
【符号の説明】
１  ユニット式建物
２Ａ   階段室を有する１階建物ユニット
３Ａ   階段室を有する２階建物ユニット
８  下梁
１０  床面材
１２  階段室
１２Ａ  コーナ部
１５  下側階段である１階〜２階用第１階段
１６  上側階段である２階〜３階用第２階段
２０  建物の補助床部材
２１  補助床部材を構成する側面材
２２Ａ、２２Ｂ  補助床部材を構成する根太材
２５  補助床部材を構成する階段受け部材
Ａ、Ａ’  踏み出し部
Ｓ、Ｓ’  スタート位置
【図１】
0003819106.tif 000002
【図２】
0003819106.tif 000003
【図３】
0003819106.tif 000004
【図４】
0003819106.tif 000005